(57)【要約】【課題】先端にあるノズルから皮膚組織に対し垂直に噴射流を噴射して注射する従来の無針注射器は皮膚２１の表面から浅い位置の治療部位に薬液を広い範囲に拡散させる事が困難であり、その為に大量に使うシリンジ（デスポ−ザブルノズルユニット）が複雑になり、大型化してコストが高価になる欠点が有った。【解決手段】無針注射器の押圧先端部１１Ｎに所定の角度θ傾けた方向に向かって噴射流７Ｎを射出する傾斜ノズル３Ｎを構成し、注射するときには、押圧先端部１１Ｎを皮膚表面に対して所定の角度θ傾けて押圧し、凹んだ皮膚表面より、噴射流７Ｎをほぼ水平に射出して、浅い位置の治療部位に水平方向に薬液５を広い範囲に拡散するようにしたので、シリンジの構造を単純化でき、小型に作れ、廉価にできる無針注射器である。更に従来の無針注射器でも、本発明のシリンジ２を取り付け傾斜して注射する事で浅い位置の注射が出来る。【選択図】        図２
2007061577.tif 000002
【特許請求の範囲】
【請求項１】
無針注射器の押圧先端部に所定の角度傾けた方向に向かって噴射流を射出する傾斜ノズルを構成し、注射するときには、前記押圧先端部を皮膚表面に対して前記所定の角度傾けて押圧し、凹んだ皮膚表面より、噴射流をほぼ水平に射出して、浅い位置の治療部位に薬液を広い範囲で拡散する事を特徴とする無針注射器。
【請求項２】
無針注射器を所定の角度傾けて押圧して、皮膚表面から所定の深さに傾斜ノズルが設定されたとき、皮膚表面に接する位置に所定の角度傾けて基準面部を無針注射器に構成し、前記基準面部で無針注射器の傾きと位置とを保持する事を特徴とする請求項１記載の無針注射器。
【発明の詳細な説明】
【技術分野】
【０００１】  本発明は、医療用に用いられる無針注射器に関し、ノズルより射出される薬液を皮膚表面から浅い位置の治療部位に拡散させる無針注射器に関する。（皮膚表面から浅い位置を以後、浅い位置と略すことにする）
【背景技術】
【０００２】従来は皮膚の表面に対して垂直に無針注射器を保持して、皮膚の表面にノズルのある先端部を垂直方向に押圧密着させて、噴射流を射出し注射していた。
即ちノズルは垂直方向に向けて先端に設けられていて、皮下組織の垂直方向に向けて噴射流を射出していた。【０００３】また皮下組織での拡散される位置は、噴射流の力を減少させると浅い位置へと変化する。即ち、噴射流の力を弱くすると拡散の深さ位置が浅くなる無針注射器独特の注射作用が有った。【０００４】また噴射流の力を減少させると、同じ薬液量でも広い範囲の拡散サイズからの狭い範囲の拡散サイズへと変化する。即ち力を減少させると針式注射器のように注射した薬液が拡散でなく塊に近くなる無針注射器独特の注射作用が有った。【０００５】更に噴射流の力が強い間は皮膚表面への穴開けは、良く切れるドリルで穴あけしたようにノズルの直径と同じ穴を簡単にあける事が出来るが、力を弱くすると切れないドリルで穴あけするように穴の形が三角や楕円等の非円形となり、更に径は大きくなり皮膚のダメ−ジが大きくなる。更にそれよりも力を弱くすると穴あけが出来なくなり、薬液は皮膚表面に溢れると言う無針注射器独特の注射作用が有った。【０００６】また皮膚表面からノズルの距離を離すと図１のように、距離に応じて噴射流の力は弱くなる。即ち皮膚の穴あけと、その穴を介して薬液を注入するために必要な噴射流の力はノズルが皮膚より離れると減少する無針注射器独特の注射作用が有った。【０００７】（図１はノズルの距離に応じた最大噴射流の力変化グラフであり、〔特許文献４〕のジェット流測定装置ＴＸ−９により測定したＭ社とＳ社の無針注射器のノズル距離に応じた最大噴射流の力変化グラフである。点線は狭い間隔の為にセンサ表面に液体が溜まりその液体が飛ばされてノズル方向に戻る事により力の損失が発生している事を示す。この損失をフラッシュバック損失と言うことにする。）【０００８】更に皮膚表面からノズルの距離がわずか離れた場合は、皮膚とノズルの隙間より薬液があふれ出てしまい、皮下組織への薬液の注入量の損失が発生する。更に皮膚の表面に溜まった薬液表面で噴射流が反射して、皮膚に向かう噴射流の力のフラッシュバック損失を発生する。従って皮膚とノズルの密着度は無針注射器独特の注射作用の重要な課題となっている。【０００９】また皮下組織は皮膚表面に平行な組織の積み重なりが多く、よって垂直方向と比較して水平方向の硬度が柔らかい傾向がある。（以後皮膚表面に平行方向を水平方向と言う事にする）従って注射された薬液は水平方向の組織同士の繋がりの隙間を介して、薬液は水平方向の広い範囲に拡散する無針注射器独特の注射作用が有った。【００１０】無針注射器には以上のように数多く独特な注射作用が有った。
【特許文献１】特表２００３−５０７１３４
【特許文献２】特願平１０−３０７２５２
【特許文献３】特開２００４−３５８２３４
【特許文献４】出願２００３−２８７１９４
【特許文献４】出願２００５−２３６１０２
【発明の開示】
【発明が解決しようとする課題】
【００１１】初めに薬液を注射する治療部位について説明する。糖尿病用のインスリンは脂肪層や筋肉層に薬液を拡散するように皮膚表面から深い位置にある治療部位に拡散させ、近年開発されているワクチン類は浅い位置の治療部位に拡散するように注射する。【００１２】このように治療部位は薬液の種類と治療目的に応じて薬の治療効果の高い効率の良い皮下組織の場所が選ばれる。【００１３】本発明は特に浅い位置の治療部位に拡散させようとする無針注射器に関するものである。【００１４】〔特許文献１〕の無針注射器はノズルが離れているために皮膚表面の圧力が急激に弱くなる、その為にノズル径を小さくして圧力の増加を図ると、ノズルでの流れの損失が大きくなり、ピストンで押す力が増加して駆動部分の与圧機構（スプリング等）をより強力なものにする事が求められ無針注射器が大型化する。【００１５】また圧力が下がるので皮膚表面に薬液が多量に溢れ出るようになる。穴を介しての皮下組織への拡散でなく、漏れた薬液を集めて皮膚の表面からＩｎｈｒａｔｉｏｎ方式と同じように表面を浸透した注射作用になる危険がある。【００１６】〔特許文献２〕の無針注射器は垂直な方向と傾斜した方向のノズルとの複数ノズルにより短時間に注射する目的のもので有る。この方式は垂直方向の成分が多いので従来の無針注射器と同様に注射の初めと終わりの噴射流の力変化に応じて拡散する深さ位置が変化する。【００１７】即ち、注射の始めの噴射流の力は強いので拡散の深さ位置は深く、終わりでは弱くなるので浅い位置に拡散する事になる。従って特に浅い位置の治療部位に限定した拡散は困難である。但し目的とする短時間注射用には適したものである。【００１８】〔特許文献３〕の無針注射器は複数のピストンと複数の垂直なノズルにより垂直方向より浅い治療部位を狙ったものである。これは噴射流の力により治療部位の深さ位置が変化するので、浅い治療部位を狙った時は噴射力を弱く設定しなければならないので、前述の弱くした時の無針注射器の独特な拡散作用の問題が色々含まれる事になる。従って皮下組織で広い範囲に拡散しようとしたときには、複数ノズルの数を増やし、且つノズル間の距離を広くする必要がある。従って無針注射器が大型化する傾向がある。【００１９】〔特許文献４〕は本発明人の出願で、無針注射器の先端を皮膚に垂直に押し込み、先端部の水平方向に向けたノズルによりほぼ水平方向に噴射流を走らせ、浅い位置の治療部位に広い範囲に拡散をさせる無針注射器である。【００２０】この方式は前述した皮下組織が水平方向に柔らかい傾向や、噴射流による拡散作用から考察しても、構造が簡単で、深さ位置の変化なく噴射流の力に応じて拡散の広がりを水平方向に任意に広げる事が可能な優れた特徴があった。【００２１】しかし、この方式は垂直に前記先端を皮膚に差し込む為に、垂直な方向の押圧力での皮膚の凹み曲がる作用とノズルのある先端部の外側の形状だけで、ノズルと皮膚の密着度をあげる必要があり、無針注射器先端のノズル近傍の形状が特殊な曲面など複雑な形状となり、数多く使用するシリンジ（デスポ−ザブル．ノズル．ユニット）のコスト高に繋がる欠点が有った。【００２２】前述したような無針注射器独特な注射作用を考慮し、皮膚のダメ−ジ少なく痛みの少ない無針注射器のメリットを生かして、浅い位置の治療部位に広範囲に薬液を拡散させる事のできる廉価なしかも小型の無針注射器が求められていた。
【課題を解決するための手段】
【００２３】本案の説明で噴射流の方向は、皮膚の表面に対して平行より±２０°の範囲内をほぼ水平と表現する事にする。【００２４】前記の課題を解決するためには、もしも皮膚組織の内部に無針注射器を平行に埋め込む事が出来れば、皮膚組織に対して水平方向に噴射流を射出する事が可能となり、浅い位置でも目標となる治療部位をめがけて「ねらい撃ち」して、薬液を水平方向の広い範囲に拡散出来るような注射作用が期待できる。【００２５】従って前記の仮説を実現性のあるものとするために、本発明は、請求項１記載のように、無針注射器の先端部に所定の角度傾けた傾斜ノズルを構成し、注射するときには、前記先端部を皮膚表面に対して所定の角度だけ傾け、皮膚の凹んだ一方の壁面状になった皮膚より、噴射流を射出するように構成する。【００２６】この様に構成するので、所定の傾斜角度で設けた傾斜ノズルは、無針注射器を所定の傾斜角度だけ傾けて注射する事により、傾斜ノズルをほぼ水平方向に向ける事が出来る。【００２７】更に注射する時の皮膚への傾斜押圧力の垂直分力は皮膚を凹ます押圧力となり、更に水平分力は凹みの一方の壁面状になった皮膚に傾斜ノズルを押しつける押圧力となる、よって凹みの一方の壁面状になった皮膚に傾斜ノズルを押しつけ、密着度を向上が得られる。【００２８】更に請求項２記載のように無針注射器が所定の角度傾斜して押圧されて、皮膚表面から所定の深さに傾斜ノズルが設定されたとき、皮膚表面に接して無針注射器の位置を保持するように押圧位置を決める基準面部を無針注射器に構成する。【００２９】このように構成するので、基準面部を皮膚に当てるだけで、無針注射器を所定の角度傾け、更に傾斜ノズルの深さ位置を所定の深さに設定することが出来る。【００３０】以上の様に構成するので、無針注射器で浅い位置の注射が容易に出来る。
【発明の効果】
【００３１】請求項１記載のように構成するので、本発明の無針注射器は、押圧先端部を所定の傾斜角傾けて注射する事により、所定の傾斜角傾けて設けた傾斜ノズルから皮下組織の中にほぼ水平に噴射流を射出できる。【００３２】水平に噴射出来るので、従来は噴射流の力を強くすると筋肉にまで達するなど、治療部位とは異なる不必要な場所に拡散することがあったが、本発明の噴射流はほぼ水平に与えられるので、目的とする治療部位の内部で水平方向の拡散の大きさを噴射流の力の選択により自由に制御できる。【００３３】従来は浅い深さの治療部位に注射するためには、噴射流を弱くする必要が有ったが、本発明は力を弱くする必要が無いので、傾斜ノズルと同じ微少径で皮膚に穴あけを容易に出来、皮膚のダメ−ジを少なく注射出来る。【００３４】傾斜ノズルから射出された噴射流は皮膚付近では強い力をもっているので、注入穴を介して薬液は確実に送り込まれる。【００３５】従来は皮下組織に垂直方向に薬液を送り込む為に力の損失が大きかったが、皮下組織は水平方向が柔らかいので、水平方向の力損失が少ないので、注入穴を介して送り込まれた薬液は水平方向に遠くまで到達し、広い範囲に拡散できる。【００３６】浅い位置の注射でも、噴射流を弱くする必要がないので、皮下組織の内部で水平方向に薬液を広い範囲に拡散できるので、「水ぶくれ」など針式注射器に見られる薬液の塊による皮下組織の歪みによるダメ−ジや痛みを少なくする事ができる。【００３７】また傾斜押圧力の垂直分力により皮膚を凹ますことが出来るとともに、水平分力により凹んだ一方の壁状の皮膚に傾斜ノズルを押しつける事ができるので、容易に密着度の良い注射が出来る。よって密着度が良いので皮膚に薬液が漏れる事も防げる。【００３８】容易に傾斜ノズルの密着度を上げる事が出来るので、無針注射器の先端の傾斜ノズル近傍の形状は単純な構造で良く、従来に近い簡単な構造で製作できる。即ち、数多く使用するシリンジ（デスポ−ザブル．ノズル．ユニット）のコストを廉価に作る事ができる。【００３９】また請求項２記載のように構成するので、無針注射器を所定の角度傾けて押圧して、皮膚表面から所定の深さＨに傾斜ノズルが設定されたとき、皮膚表面に接する位置に基準面部を無針注射器に構成する。【００４０】従って、基準面部を皮膚表面に当接することで傾斜ノズルの位置を所定の深さに設定し、更に傾斜ノズルの噴射方向をほぼ水平方向に設定することが容易にできる。【００４１】本発明のシリンジ（デスポ−ザブル．ノズル．ユニット）を取り付けて斜めに注射する操作で、従来の無針注射器でも大きな変更なしに、本発明による浅い位置での注射が可能となる。【００４２】あらかじめ薬液を充填したシリンジを１回で廃棄する所謂プレフィ−ルド・ノズル・ユニットでも、目的を達しうる構造が簡単なので、容易に、しかも廉価に、適用できる。【００４３】更にあらかじめワクチンなどを充填した無針注射器を１回の使用で駆動本体ごと廃棄する所謂プレフィ−ルド無針注射器でも、目的を達しうる構造が簡単なので、容易に、しかも廉価に、適用できる。【００４４】このような多くの効果があるので、ダメ−ジ少なく痛み少ない注射が出来る無針注射器のメリットを最大限に発揮しながら、浅い位置にある治療部位への注射を廉価にしかも小型に製作可能とする優れた無針注射器を提供できる。
【発明を実施するための最良の形態】
【００４５】本発明を実施する為の最良の形態を以下の実施例で説明する。なお便宜上並びに混同を避けるため、同様な部材には図２以降の図面では同一の参照符号を付することで、説明の重複を避けるように配慮する。
【第１の実施例】
【００４６】図２（第１の実施例の構造と注射作用との説明断面図）を用いて第１の実施例を説明する。
【００４７】第１の実施例の無針注射器は請求項１記載のように、無針注射器の駆動部１に取り付けられるシリンジ２（薬液５とピストン４を内装した）の先端の押圧先端部１１Ｎに傾斜押圧軸Ｚ０−Ｚ１に対して所定の角度θ（図では４５°）傾けた方向に向かって噴射流８Ｎを射出する傾斜ノズル３Ｎを設けて無針注射器を構成する。
【００４８】注射するときには、皮膚表面に対して所定の傾斜角θ（図では４５°）傾けて注射する。従って傾斜ノズル３Ｎはほぼ水平方向に噴射流７Ｎを射出する事ができる。
【００４９】また先端押圧部１１Ｎで皮膚を押圧して注射するので、前記押圧の力は所定の傾斜角θ傾いた方向に皮膚を押圧する事になる。その傾斜した傾斜押圧力ＢＺは、垂直方向に向かった垂直分力ＢＹにより、皮膚２１を凹ます事ができる。
【００５０】更に傾斜押圧力ＢＺは水平方向へ向かった水平分力ＢＸにより、前記の凹みの一方の壁を水平方向に押圧し、凹みの壁の皮膚２１を垂直に近い形状に折り曲げる事ができる。
【００５１】更に水平分力ＢＸにより、前記の凹みの壁状の皮膚２１に傾斜ノズル３Ｎが押圧されるので、密着度が良く損失の無い注射ができる。
【００５２】更に前記の密着度の向上は、傾斜ノズル３Ｎの直径と同じ微少径で注入穴８Ｎの穴あけができ、皮膚２１のダメ−ジも少ない注射ができる。
【００５３】前記水平注入穴８Ｎを介して、浅い位置の所定の深さＨの治療部位でも、噴射流７Ｎにより薬液５は水平方向の広い範囲に拡散薬液９Ｎのように拡散させる事ができる。よって、皮下組織３０の歪みが少ない即ち、ダメ−ジの少ない痛みの少ない注射が出来る。
【００５４】図２の付番について補足説明する。誘導流賂１７はシリンジ２の内部の薬液５を傾斜ノズル３Ｎに誘導する誘導流賂である。更に、傾斜押圧軸Ｚ０−Ｚ１に垂直であつて且つ傾斜ノズル３Ｎを含む位置の平面で押圧先端部１１Ｎを切断した断面をノズル平面ＣＰ−ＣＱ断面と言うことにする。
【００５５】次に、第１の実施例の無針注射器で注射した後の皮下組織３０での薬液拡散の状態を図３（第１の実施例の薬液拡散作用の説明断面図）を用いて説明をする。
【００５６】注射が終了すると、押圧が開放されるので皮膚の表面の凹みは図３のように平坦に戻る。
【００５７】凹んで曲げられた皮膚に対し直角に穴あけされていた注入穴８Ｎは、皮膚が平坦に戻ることにより、従来の無針注射器と同様な穴、即ち垂直方向Ｙ０−Ｙ１から穴あけした穴と同じになる。
【００５８】注入穴８Ｎから注入された薬液５は、注入穴８Ｎを過ぎると、始めは垂直だが進むに従って徐々に水平方向に折れ曲がって進む。
【００５９】その後、所定の深さＨまで進むと、以後は水平方向に向かって進み、拡散薬液９Ｎのように広い範囲に薬液５は拡散する。
【００６０】この拡散薬液９Ｎは、あたかも、皮下組織に水平に埋め込まれた無針注射器で水平に射出した時と同様で、噴射流の力を強すれ水平拡散薬液９Ｎの拡散の広がりは大きく出来る。（深さ位置の変化は少ない）
【００６１】前述の折れ曲がりの通路は皮膚の凹みの形状により左右される。（凹みが深い時には遠くまで折れ曲がり通路が続く事になる。）従って、噴射流の力が強くなっても折れ曲がり通路の形の変化は少ない。但し噴射流の力が極端に弱い時は拡散がこの折れ曲がり通路の中で起きるので注意が必要である。
【００６２】注射時の傾き操作で所定の傾斜角θより誤差が有ると、前記の噴射流７Ｎの進む方向が傾き、遠くまで拡散させると所定深さＨから大きくずれるので注意が必要である。
【００６３】例えば表皮（皮膚２１の一番上の組織）の裏側を治療部位として、皮下組織３０の内側より表皮の裏側に向けて斜めに注射拡散させたいときは、無針注射器を傾斜角θより少ない角度で傾けると皮下組織３０の中で斜め上方に向けて噴射流を走らせ拡散させる事が出来る。但し前記の深さずれの理由で傾斜角θの−２０°以内の傾きになるように注意すると良い。
【００６４】また所定の深さＨは、図２の押圧先端部１１Ｎの押圧を増加させると深く皮膚２１を凹まし、所定の深さＨは深くなる。従って押圧先端部１１Ｎの押圧の強弱で所望の深さの治療部位に拡散薬液９Ｎを拡散させる事が出来る。
【００６５】但し所定の深さＨを１０ｍｍ以上に選ぶと、押圧力が増加するばかりでなく、押圧による皮膚の凹みが大きくなり、注射しないのに皮膚２０の痛みが増すので通常使用の無針注射器としては、あまり好ましくない。
【００６６】前記の所定の深さＨや傾き角θなどの操作誤差を矯正する方式を第２と第３と第４の実施例で説明する。
【第２の実施例】
【００６７】次に図４（第２の実施例の基準面部の構造の説明部分断面図）と、図５（第２の実施例のノズル平面ＣＰ−ＣＱ断面の説明図）とを用いて第２の実施例を説明する。
【００６８】第２の実施例は、第１の実施例で生じる不安定要素を矯正する即ち注射操作で安定して傾斜角θを確保する手段と所定の深さＨの確保をする手段の例を説明する。
【００６９】第２の実施例は請求項２記載のように、無針注射器を所定の角度θ傾けて押圧して、皮膚表面から所定の深さＨに傾斜ノズルが設定されたとき、皮膚表面に接する位置に所定の角度傾けて基準面部を無針注射器に構成する。
【００７０】即ち第２の実施例は基準面部６Ｗを無針注射器の特にシリンジ２に一体に設けた例を示す。
【００７１】シリンジ２の側面に翼状の長い基準面部６Ｗを設け。前記基準面部６Ｗは傾斜角θ傾けて設ける。更にその基準面部６Ｗの設定位置は傾斜ノズル３Ｎが所定深さＨに押圧された時に皮膚の表面に下面が位置するような位置に構成する。
【００７２】更に基準面部６Ｗの翼の方向は図５のように水平成分ＢＸの方向即ち、噴射流７Ｎの方向である傾斜ノズル３Ｎに対して略９０°配分（図では上下）で２ケ設ける。
【００７３】更に水平噴射流７Ｎの射出される方向側（図では左側）の基準面部６Ｗの翼の端を大きなＲ面として設ける。更に基準面部６Ｗには後述する補助部材６Ｎの為の取付穴を設けても良い。
【００７４】このように構成するので、シリンジ２を駆動部１に取り付けるときには基準面部６Ｗの大きなＲ面で水平噴射流７Ｎの方向を判断して取り付ける。更に注射の時は治療部位に対して基準面部６Ｗの翼が直角となるようにして傾斜角度θ傾けて皮膚の表面に押圧先端部１１Ｎを押しつける事で、所定の深さＨと傾斜角θが確保され、狙った所定の深さＨにある治療部位に向けて水平に噴射流７Ｎを射出できる。
【００７５】次に複数の任意の深さの治療部位を注射したいときには、複数の所定の深さＨで作られた複数のシリンジ２を準備すればよい。
【００７６】１ケのシリンジ２で任意の深さＨｎに注射したいときには、図４、図５に示す補助部材６Ｎを準備し、基準面部６Ｗの下側に取り付ければ良い。
【００７７】例えば所定深さＨが３ｍｍで任意深さＨｎが１ｍｍとしたとき、傾斜ノズル３Ｎから射出する深さを任意深さＨｎとしたい場合は、基準面部６Ｗの下面に所定深さＨと任意深さＨｎの差（３−１ｍｍ）の厚さ２ｍｍの補助部材６Ｎを取り付ける。
【００７８】このように構成することにより、傾斜して皮膚に押圧すると補助部材６Ｎの下面が傾斜角θに傾斜しているので押圧先端部１１Ｎは傾斜角θに傾斜して設置される。
【００７９】また同時に補助部材６Ｎの下面が図４の点線のように低い位置になっているために、傾斜ノズル３Ｎは自動的に所定深さＨよりも浅い深さの任意深さＨｎに位置されて設定される。
【００８０】前記の状態、即ち任意深さＨｎの時の皮膚の位置を判りやすく示すために図４では任意深さの皮膚２１Ｎとして示している。例えば任意深さＨｎが１ｍｍとすると薬液５は１ｍｍの深さの治療部位を「ねらい撃ち」したように拡散出来る。
【００８１】またシリンジ２に設けた基準面部６Ｗは、押圧先端部１１Ｎの前方（図では左側）の押される皮膚２１を押しつけないように設ける。もしも前方で近傍の皮膚が押された場合は皮膚２１の凹みが遠方より徐々に曲がってしまい図示のような急激な曲がりによる壁が作れなくなり傾斜ノズル３Ｎの密着度が下がってしまうので、前方を押さえたいときは、傾斜ノズル３Ｎの前方より１０ｍｍ以上離した位置で押さえるように基準面部６Ｗを大型にすることが好ましい。
【００８２】従って第２実施例ではシリンジ２を小型に纏める為に、傾斜ノズル３Ｎより後方の皮膚２１を押すように配慮して図５のように基準面部６Ｗを配設してある。
【第３の実施例】
【００８３】次に図６（第３の実施例のノズル平面ＣＰ−ＣＱ断面の説明図）を用いて第３の実施例を説明する。
【００８４】図６の基準面部６Ｗは皮膚２１を押す面積を増加して傾斜角θの傾きと所定深さＨとの設定を更に容易にした例を示す。即ちノズル３Ｎより後方（図では右側）の面積と長さを増やし、更に水平噴射流７Ｎの噴射方向を判別しやすいような形状としてある。
【００８５】また本発明の傾斜ノズル３Ｎの数は１ケに限定しない。（例えば２ケ，３ケ・・）第３の実施例は２ケを水平分力ＢＸ方向に対して等角度の配分角γで配分してＡノズル３Ａ，Ｂノズル３Ｂのように構成した例を図６で示めす。
【００８６】またこの場合、皮膚２１の凹んだ壁を押す力は、水平分力ＢＸの更なる分力となり弱くなるので前記の配分角γは３０°以下が好ましい。図６は配分角γは２０°の例を示している。  この複数ノズルの場合は互いの拡散薬液９Ｎにより横幅の広い水平方向の拡散が得られる。
【００８７】この場合図６のように基準面部６Ｗの形状は図５よりも後退した形状として前記の密着度の劣化を防いでいる。
【第４の実施例】
【００８８】次に図７（第４の実施例の基準面部の構造の説明断面図）を用いて第４の実施例を説明する。
【００８９】第２と第３の実施例では基準面部６Ｗをシリンジ２に設けた例を示したが、次に数多く使用するシリンジ（デスポ−ザブル．ノズル．ユニット）のコストを更に廉価にするために、シリンジ２に基準面部６Ｗを設けることなく、無針注射器の駆動部１の側に基準面部６Ｗを設けた例を第４の実施例として説明する
【００９０】シリンジ２は第１の実施例と同様な構造のもので、シリンジ２の傾斜ノズル３Ｎの付いている方向を示すマ−カ−１９（印）をシリンジ２に設け、そのシリンジ２を駆動部１に取り付ける時に、そのマ−カ−１９により傾斜ノズル３Ｎを前側（図では左向き）となるように取り付け可能にした単純な構造で構成する。従ってシリンジ２のコストは廉価にできる。
【００９１】また基準面部６Ｗは駆動部１に傾斜軸Ｚ０−Ｚ１方向に滑動自在に設け、その傾斜軸Ｚ０−Ｚ１方向の位置はネジで固定出来るようにする。この基準面部６Ｗの下面は所定の傾斜角θ傾いた面で構成し、この面で皮膚と接触して、所定の傾斜角θと所定の深さ位置Ｈあるいは任意の深さ位置Ｈｎで無針注射器を保持出来るように構成する。
【００９２】この基準面部６Ｗは、所定の深さ位置Ｈに合うような位置に固定されていてもシリンジ２側に滑動させると、浅い位置の任意の深さＨｎに適合出来るようになる。
【００９３】このように本発明は趣旨を逸脱しない範囲で色々と展開出来ることは言うまでもない。例えば無針注射器の駆動部１の外装そのものを所定の角度θ傾斜した３角形の外装としても良い。（図７の点線の三角外装３１で示す）
【００９４】本発明は、ダメ−ジ少なく痛み少ない注射が出来る無針注射器のメリットを最大限に発揮しながら、浅い位置にある治療部位へ「ねらい撃ち」注射を可能とし、廉価にしかも小型に製作可能とする優れた無針注射器が提供できる。
【図面の簡単な説明】
【００９５】
【図１】  ノズル距離に応じた最大噴射流の力変化グラフである。
【図２】  第１の実施例の構造と注射作用との説明部分断面図である。
【図３】  第１の実施例の薬液拡散作用の説明断面図である。
【図４】  第２の実施例の基準面部の構造の説明部分断面図である。
【図５】  第２の実施例のノズル平面ＣＰ−ＣＱ断面の説明図である。
【図６】  第３の実施例のノズル平面ＣＰ−ＣＱ断面の説明図である。
【図７】  第４の実施例の基準面部の構造の説明断面図である。
【符号の説明】
【００９６】１      駆動部
２      シリンジ
３Ａ    Ａノズル
３Ｂ    Ｂノズル
３Ｎ    傾斜ノズル
４      ピストン
５      薬液
６Ｎ    補助部材
６Ｗ    基準面部
７Ｂ    Ｂ噴射流
７Ｎ    噴射流
８Ｎ    注入穴
９Ｎ    拡散薬液
１１Ｎ  押圧先端部
１７    誘導流賂
１９    マ−カ−
２１    皮膚
２１Ｎ  任意深さの皮膚
３０    皮下組織
３１    三角外装
ＢＺ    傾斜押圧力
ＢＸ    水平分力
ＢＹ    垂直分力
Ｈ      所定深さ
Ｈｎ    任意深さ
Ｙ０−Ｙ１    垂直軸
Ｚ０−Ｚ１    傾斜押圧軸
ＣＰ−ＣＱ    ノズル平面断面
θ      所定の傾斜角
γ      所定の配分角
【図１】
2007061577.tif 000003
【図２】
2007061577.tif 000004
【図３】
2007061577.tif 000005
【図４】
2007061577.tif 000006
【図５】
2007061577.tif 000007
【図６】
2007061577.tif 000008
【図７】
2007061577.tif 000009